(57)【要約】【課題】個人線量計を用いて空間線量を測定できるようにする。【解決手段】カウンタ５２の計数値に基づいて、個人線量演算器５４が個人線量（線量率、積算線量）を演算し、空間線量演算器５６が空間線量（線量率、積算線量）を演算する。主制御部６８は、２つのスイッチ７０，７２が同時に長押しされ、且つ、その状態が維持されている場合に、特別表示モード（空間線量表示）モードを設定する。これにより表示器６４に空間線量が表示される。それ以外の場合には通常表示モード（個人線量表示モード）が設定され、表示器６４に個人線量が表示される。特別表示モードにおいても個人線量が演算され、また個人線量に異常があればアラームが生じる。【選択図】図３
2017181043.tif 000002
【特許請求の範囲】
【請求項１】
個人被ばく管理のための携帯型の個人線量計であって、
放射線を検出し、検出信号を出力する放射線センサと、
前記検出信号に基づいて個人線量及び空間線量を演算する演算手段と、
通常表示モード及び特別表示モードを選択する表示モード選択手段と、
前記通常表示モードにおいて前記個人線量を表示し、前記特別表示モードにおいて前記空間線量を表示する表示器と、
を含むことを特徴とする個人線量計。
【請求項２】
請求項１記載の個人線量計において、
前記演算手段は表示モードにかかわらず前記個人線量を演算し続ける、
ことを特徴とする個人線量計。
【請求項３】
請求項２記載の個人線量計において、
前記演算手段は前記表示モードにかかわらず前記個人線量及び前記空間線量を並列的に演算し続け、
前記演算手段の演算結果を時系列順で格納する記憶手段が設けられた、
ことを特徴とする個人線量計。
【請求項４】
請求項２記載の個人線量計において、
前記表示モードにかかわらず前記個人線量がアラーム条件を満たした場合にアラーム信号を生成するアラーム判定手段を含む、
ことを特徴とする個人線量計。
【請求項５】
請求項１記載の個人線量計において、
前記表示モード選択手段は、当該個人線量計において少なくとも第１信号と第２信号とが同時に生じた場合に前記特別表示モードを選択する、
ことを特徴とする個人線量計。
【請求項６】
請求項４記載の個人線量計において、
前記表示モード選択手段は、前記第１信号と前記第２信号の内で少なくとも１つの信号が消失した場合に前記通常表示モードを選択する、
ことを特徴とする個人線量計。
【請求項７】
請求項４記載の個人線量計において、
ユーザー操作により前記第１信号を生成する第１操作子と、
ユーザー操作により前記第２信号を生成する第２操作子と、
を含むことを特徴とする個人線量計。
【請求項８】
請求項４記載の個人線量計において、
ユーザー操作により前記第１信号を生成する操作子と、
当該個人線量計が水平姿勢になったこと又は当該個人線量計が被ばく管理対象者から離れたことを検出して前記第２信号を生成する状態センサと、
を含むことを特徴とする個人線量計。
【請求項９】
請求項１記載の個人線量計において、
前記放射線センサの非生体側に設けられたフィルタ層と、前記放射線センサの生体側に設けられたフィルタ層と、を有するフィルタ部材を含む、
ことを特徴とする個人線量計。
【請求項１０】
請求項１記載の個人線量計において、
前記放射線センサ、前記演算手段、及び、前記表示モード設定手段を収容したケースと、
前記ケースにおける非生体側の面であって前記放射線センサに対応する位置に描かれた検出中心マークと、
を含み、
前記検出中心マークは個人線量測定用且つ空間線量測定用である、
ことを特徴とする個人線量計。
【請求項１１】
請求項１記載の個人線量計において、
前記放射線センサ、前記演算手段、及び、前記表示モード設定手段を収容したケースと、
前記ケースにおける非生体側の面であって前記放射線センサに対応する位置に描かれた個人線量用検出中心マークと、
前記ケースの生体側の面であって前記放射線センサに対応する位置に描かれた空間線量用検出中心マークと、
を含むことを特徴とする個人線量計。
【請求項１２】
個人被ばく管理のための携帯型の個人線量計における表示方法であって、
放射線を検出して得られた検出信号に基づいて個人線量及び空間線量を並列的に演算する工程と、
特別なユーザー操作が継続している期間内に限り特別表示モードを選択し、それ以外の場合には通常表示モードを選択する工程と、
前記通常表示モードにおいて前記個人線量を表示し、前記特別表示モードにおいて前記空間線量を表示する工程と、
を含むことを特徴とする表示方法。
【発明の詳細な説明】
【技術分野】
【０００１】
本発明は個人線量計に関し、特に、個人線量（個人被ばく線量）を測定する携帯型の個人線量計に関する。
【背景技術】
【０００２】
個人の被ばく管理のために個人線量計（個人被ばく線量計）が用いられる（特許文献１、特許文献２）。被ばく管理の対象者は、放射性物質を取り扱う施設における作業者、病院における医療従事者、一般人等である。個人線量計を取り付ける位置は法令等によって定められている。男性の場合、胸部ポケット内に個人線量計が配置され、あるいは、首にかけられたストラップによって個人線量計が胸部前面に位置決められる。女性の場合、腹部前面に個人線量計が位置決められる。そのような状態で、放射線（通常、γ線（Ｘ線を含む））が測定される。個人線量計に表示される線量は個人線量であり、それはより正確には線量当量である。線量当量は、吸収線量（単位はＧｙ）に対して生物学的効果比を乗算することにより求められるものである。個人線量として、通常、積算線量（積算線量当量）が演算される。その単位は例えばμＳｖである。但し、線量率（線量当量率）が演算されることもある。その単位は例えばμＳｖ／ｈである。
【０００３】
一方、モニタリングポストにおいては空間線量が測定されている。サーベーメータを利用して空間線量が測定されることもある。空間線量を測定する場合、通常、放射線センサの主感度方向が直上を向くようにして、地面から１ｍの高さに、放射線センサが設置される。その状態で放射線（通常、γ線）が測定される。空間線量は空気の吸収線量である。典型的には、空間線量として線量率が演算される。その単位はμＳｖ／ｈ（又はｎＳｖ／ｈ）である。空間線量として積算線量が演算されることもある。その場合の単位はμＳｖ（又はｎＳｖ）となる。個人線量と空間線量との間には単位の類似性が認められるので、測定時には両者を明確に区別することが必要である。
【先行技術文献】
【特許文献】
【０００４】
【特許文献１】特開２０１４−１３７２５５号公報
【特許文献２】特開２０００−９８０３５号公報
【発明の概要】
【発明が解決しようとする課題】
【０００５】
個人線量計で測定する線量は個人線量であり、それは空間線量とは異なるものである。個人線量と空間線量はかなり近い関係にあるものの、それらは同じではない。個人線量の測定条件と空間線量の測定条件は異なり、また、個人線量の演算で用いられる係数と空間線量の演算で用いられる係数も異なる。よって、従来においては、測定目的ごとに専用装置が構成されており、つまり、個人線量計及び空間線量計（モニタリングポスト、サーベーメータ等）が互いに別の装置として提供されている。
【０００６】
空間線量計が設置されていない況下で、空間線量を簡易的に測定したいという要望がある。個人線量計は各個人に携帯されており、個人線量計を空間線量計として利用できるならば、上記要望に機動的に応えることができる。しかし、第１に、従来の個人線量計をそのまま利用し、個人線量として表示された数値をそのまま空間線量として読み変えた場合、測定結果の信頼性が低下してしまう。空間線量の簡易測定といえども、可能な限り正確な測定を行える方が望ましい。第２に、空間線量の測定のために個人被ばく管理に空白期間が生じないようにすることが求められる。個人線量計本来の機能や役割の維持が非常に大切である。第３に、個人線量と空間線量とを切り換え表示する場合や同時表示する場合に、使用者における混乱や誤読を確実に防止することが必要である。第４に、個人線量測定と空間線量測定とでは放射線測定状況が異なることになるので、両者の測定に適する放射線検出部を構成する必要がある。
【０００７】
本発明の目的は上記であげた少なくとも１つの課題を解決することにある。すなわち、個人線量計を用いて空間線量の簡易測定を実現できるようにすることにある。あるいは、個人線量計において空間線量を測定及び表示する場合に個人被ばく管理上の空白期間が生じないようにすることにある。あるいは、個人線量計において個人線量と空間線量とを表示する場合に使用者において混乱や誤読が生じないようにすることにある。あるいは、個人線量と空間線量の両方の測定に適する放射線検出部を構成することにある。
【課題を解決するための手段】
【０００８】
本発明に係る、個人被ばく管理のための携帯型の個人線量計は、放射線を検出し、検出信号を出力する放射線センサと、前記検出信号に基づいて個人線量及び空間線量を演算する演算手段と、通常表示モード及び特別表示モードを選択する表示モード選択手段と、前記通常表示モードにおいて前記個人線量を表示し、前記特別表示モードにおいて前記空間線量を表示する表示器と、を含むことを特徴とするものである。
【０００９】
本発明に係る個人線量計は個人線量を測定する基本機能の他、空間線量を測定する拡張機能を備えている。具体的には、演算部が、個人線量（線量率及び積算線量の一方又は両方）を演算する他、空間線量（線量率及び積算線量の一方又は両方）を演算する。望ましくは、演算部は個人線量と空間線量とを常時並列的に演算し、その演算結果が記憶部上に時系列順で格納される。表示モード選択手段は、ユーザー操作等に応じて、通常表示モード及び特別表示モードのいずれかを選択（設定）する。通常表示モードは従来同様に個人線量を表示するモードであり、特別表示モードは個人線量計でありながら例外的に空間線量を表示するモードである。通常表示モードにおいて更に空間線量が表示されてもよいが、使用者が誤認又は誤読しないように２つの線量を識別表示するのが望ましい。同じく特別表示モードにおいて更に個人線量が表示されてもよいが、使用者が誤認又は誤読しないように２つの線量を識別表示するのが望ましい。使用者における混乱を避けるためには、通常表示モードにおいては個人線量のみを表示し、特別表示モードにおいては空間線量のみを表示するのが望ましい。
【００１０】
個人被ばく管理の観点からは、特別表示モードにおいても、個人線量が継続的に演算されることが特に望まれる。個人線量の演算と空間線量の演算では演算用の係数が互いに異なるが、同じ検出信号を基礎として個人線量及び空間線量の両方を演算することが可能である。個人線量及び空間線量の内で一方を先に演算した上で、その一方から他方を演算するようにしてもよい。
【００１１】
個人線量の測定に際しては、一般に、使用者における所定箇所に個人線量計を正規姿勢又は垂直姿勢で装着することが求められる。一方、空間線量の測定に際しては、一般に、使用者から個人線量計を外して、しかも使用者から離し、水平姿勢（検出中心を上に向け）としつつ、例えば地表から１ｍの高さに保持することが求められる。空間線量が参考値として得られてもよい。その場合には、測定される空間線量を参考空間線量と称してもよい。
【００１２】
上記個人線量計によれば、個人被ばく管理を行いながら、望ましくは一時的に個人線量計を体から離し、その状態で空間線量を測定することが可能となる。よって、空間線量を測定する装置がない状況下においても、空間線量又はそれに相当する参考値を取得することが可能である。個人線量をそのまま空間線量であるとして読み取る場合に比べて、上記構成においては空間線量を別途演算するので正確である。２つの姿勢においてそれぞれの放射線を的確に検出できるようにセンサユニットを構成するのが望ましい。
【００１３】
望ましくは、前記演算手段は表示モードにかかわらず前記個人線量を演算し続ける。この構成によれば、個人線量の演算結果（例えば各時刻の線量率）を時系列順で記憶しておき、その記憶情報をその後の個人線量の演算で利用することが可能である。特に積算線量を演算する場合に過去の未測定期間が生じないので正確に積算線量を演算できる。望ましくは、前記演算手段は前記表示モードにかかわらず前記個人線量及び前記空間線量を並列的に演算し続け、前記演算手段の演算結果を時系列順で格納する記憶手段が設けられる。
【００１４】
望ましくは、前記表示モードにかかわらず前記個人線量がアラーム条件を満たした場合にアラーム信号を生成するアラーム判定手段を含む。この構成によれば、特別表示モードの実行中においても、バックグラウンド演算されている個人線量がそれについて定められたアラーム条件に該当した場合にアラーム判定がなされるので、安全性を高められる。すなわち、個人線量計としての本来的な機能をそのまま維持しつつ必要な場合に空間線量の表示を行える。
【００１５】
望ましくは、前記表示モード選択手段は、当該個人線量計において少なくとも第１信号と第２信号とが同時に生じた場合に前記特別表示モードを選択する。この構成によれば、うっかり操作等によって意図せず特別表示モードに移行してしまうことを防止できる。望ましくは、前記表示モード選択手段は、前記第１信号と前記第２信号の内で少なくとも１つの信号が消失した場合に前記通常表示モードを選択する。この構成によれば、特別表示モードが無用に長引いて個人線量の表示再開が遅れることを防止できる。すなわち、空間線量の表示は使用者の明確な意図等を確認できる特別な場合にのみ行えるようにしそれ以外の場合には個人線量ができるだけ表示され続けるように構成するのが望ましい。例えば、単に水平姿勢になったことや単に体から離れたことを条件として空間線量モードへ移行させると、個人線量計の表示器を読み取る場合や他の物体に衝突して個人線量計の姿勢が変化した場合等に不必要に空間線量が表示されてしまう。そのような誤動作又は無用動作が生じないように複数の条件の同時成立かつその継続をもって空間線量表示モードを実行させるのが望ましい。
【００１６】
望ましくは、個人線量計が、更に、ユーザー操作により前記第１信号を生成する第１操作子と、ユーザー操作により前記第２信号を生成する第２操作子と、を含む。２つの操作子（例えば、ボタン、スイッチ）の同時操作を条件とすれば、簡単に空間線量モードが実行されてしまうことを防止できる。
【００１７】
望ましくは、個人線量計が、更に、ユーザー操作により前記第１信号を生成する操作子と、当該個人線量計が水平姿勢になったこと又は当該個人線量計が被ばく管理対象者から離れたことを検出して前記第２信号を生成する状態センサと、を含む。この構成によれば、個人線量計が一定の状態となり、空間線量測定の可能性が認められた上で、使用者による明示的な操作があった場合に、空間線量の表示が行われることになる。状態センサは、加速度センサ、距離センサ等である。
【００１８】
望ましくは、更に、前記放射線センサの非生体側に設けられたフィルタ層と、前記放射線センサの生体側に設けられたフィルタ層と、を有するフィルタ部材を含む。空間線量を測定する場合には両側からの放射線入射が想定されるために放射線センサの両側にフィルタ層を設けるのが望ましい。放射線センサの全体をフィルタ部材で包み込んでもよい。フィルタ部材は例えばエネルギー感度特性を調整するものである。
【００１９】
望ましくは、前記放射線センサ、前記演算手段、及び、前記表示モード設定手段を収容したケースと、前記ケースにおける非生体側の面であって前記放射線センサに対応する位置に描かれた検出中心マークと、を含み、前記検出中心マークは個人線量測定用且つ空間線量測定用である。この構成は、個人線量を測定する向きと、空間線量を測定する向きとが同じ場合に利用されるものである。望ましくは、前記放射線センサ、前記演算手段、及び、前記表示モード設定手段を収容したケースと、前記ケースにおける非生体側の面であって前記放射線センサに対応する位置に描かれた個人線量用検出中心マークと、前記ケースの生体側の面であって前記放射線センサに対応する位置に描かれた空間線量用検出中心マークと、を含む。この構成は、個人線量を測定する向きと、空間線量を測定する向きとが１８０度異なる場合に利用されるものである。
【００２０】
本発明に係る方法は、個人被ばく管理のための携帯型の個人線量計における表示方法であって、放射線を検出して得られた検出信号に基づいて個人線量及び空間線量を並列的に演算する工程と、特別なユーザー操作が継続している期間内に限り特別表示モードを選択し、それ以外の場合には通常表示モードを選択する工程と、前記通常表示モードにおいて前記個人線量を表示し、前記特別表示モードにおいて前記空間線量を表示する工程と、を含むことを特徴とする。
【発明の効果】
【００２１】
本発明によれば、個人線量計を用いて空間線量の簡易測定を実現できる。あるいは、個人線量計において空間線量を測定、表示する場合に個人被ばく管理上の空白期間が生じないようにできる。あるいは、個人線量計において個人線量と空間線量とを表示する場合に使用者において混乱や誤読が生じないようにできる。あるいは、個人線量と空間線量の両方の測定に適する放射線検出部を構成できる。
【図面の簡単な説明】
【００２２】
【図１】本発明に係る個人線量計の第１実施形態を示す図であり、個人線量測定時の状態を示す図である。
【図２】図１に示した個人線量計についての空間線量測定時の状態を示す図である。
【図３】図１に示した個人線量計の電気的な構成を示すブロック図である。
【図４】個人線量の演算及び空間線量の演算を説明するための図である。
【図５】第１の表示例を示す図である。
【図６】第２の表示例を示す図である。
【図７】第１のモード選択動作例を示す図である。
【図８】第２のモード選択動作例を示す図である。
【図９】第３のモード選択動作例を示す図である。
【図１０】データ読み取り時の状態を示す図である。
【図１１】本発明に係る個人線量計の第２実施形態を示す図であり、個人線量測定時の状態を示す図である。
【図１２】図１１に示した個人線量計についての空間線量測定時の状態を示す図である。
【発明を実施するための形態】
【００２３】
以下、本発明の好適な実施形態を図面に基づいて説明する。
【００２４】
図１には、本発明に係る個人線量計の第１実施形態が示されている。個人線量計は、原子力発電所等の放射性物質取扱施設で働く作業者、医療機関において放射線や放射性物質を取扱う医療従事者、等に付けられるものであり、それらの者（使用者）の被ばく管理のための小型の携帯型測定器である。
【００２５】
図１において、個人線量計１０は、個人線量の他、空間線量を測定する機能を備えている。個人線量として線量率及び積算線量が一定時間間隔で繰り返し演算されており、空間線量として線量率及び積算線量が一定時間間隔で繰り返し演算されている。すなわち、それら４つの情報が並列的して同時に演算されている。もっとも、選択された表示モードに応じて表示器２６に表示される内容が変わり得る。線量演算及び線量表示については後に詳述する。
【００２６】
個人線量計１０は、図１に示されるように、箱形を有する本体１２と、それに取り付けられたクリップ部材１４と、により構成される。図示される本体１２は、その上端部分を除いて、使用者の胸ポケット１６内に収容されている。本体１２の前面とクリップ部材１４との間にポケット１６の布地が挟み込まれている。ポケット１６内において、個人線量計１０は規定姿勢つまり正立（起立）姿勢にある。図１に示された状態は個人線量測定状態と言い得る。それに対比される空間線量測定状態については後に図２に示す。本体１２は中空のケースを有する。中空のケース内には、放射線センサ、センサ信号を処理する電子回路基板、バッテリ等が設けられている。
【００２７】
図１に示す状態において、本体１２内の放射線センサの有感面は前方（ｙ方向）を向いている。ｘｚ面上における放射線センサの検出中心位置が検出中心マーク１８によって表示されている。その近傍には、符号２０で示すように、個人線量を意味する表記「Ｈｐ」が付され、また、符号２２で示すように、空間線量を意味する表記「Ｈ＊」が付されている。個人線量計１０における主機能は個人線量の測定にあり、空間線量の測定は従たる機能あるいは拡張機能であるので、空間線量を意味する表記には括弧が付されている。第１実施形態においては、個人線量測定状態においては個人線量計１０における非生体側の面（前面）が使用者の前方に向けられる。一方、後に示す空間線量測定状態においては個人線量計１０が水平姿勢つまり横倒し姿勢とされ、その前面が上方に向けられる。
【００２８】
本体１２の上面には表示器２６が設けられている。表示器２６は例えば液晶表示器である。使用者が個人線量を確認する場合、表示器２６を斜め上方から覗き込むことになる。その場合の視線が符号２８で示されている。但し、ポケット１６から個人線量計１０を取り出して表示器２６を持ち上げて観察することも可能である。
【００２９】
本体１２の一方側には第１ボタン３０及び第２ボタン３２が設けられている。それらは例えば電源オンオフ用のボタン、時定数切換用のボタン、アラーム停止ボタン等である。それら２つのボタン３０，３２の同時長押しによって通常表示モード（個人線量表示モード）から特別表示モード（空間線量表示モード）に切り替わる。そして、その同時操作状態が継続している間、特別表示モードが維持される。いずれか一方のボタンがオフにされた時点で、通常表示モードに直ちに復帰する。よって、使用者は、空間線量を測定（表示）したい場合、個人線量計１０を水平姿勢にした上で、２つのボタン３０、３２を同時にオン操作し、その状態を維持することが求められる。空間線量の表示に際して、このような通常ありえない特別な操作を要求することにより、個人線量と空間線量の間での誤測定や誤読を効果的に防止できる。なお、図１中のｘｙｚ直交座標系は個人線量計１０を基準とした相対座標系であり、個人線量計１０の姿勢が変化すると、ｘｙｚ直交座標系も変化する。図３に示されるように、通信モジュール７４は外部装置との間で赤外線通信を行うためのものである。バッテリ７６は個人線量計１０内の各構成に電力を与えるものである。
【００３０】
図２には空間線量測定状態にある個人線量計１０が示されている。個人線量計１０は、ポケットから取り出された上で、水平姿勢（横倒し姿勢）とされている。本体の前面が上向きとされており、つまりｙ方向が直上を向いている。空間線量を測定する場合、使用者のボディから個人線量計１０が離され、符号３４で示すように個人線量計１０が地面から１ｍの高さに保持される。その状態で２つのボタン３０、３２を同時に押し続けると、特別表示モードが選択（設定）されて、表示器２６に空間線量が表示される。それは例えば今までの空間線量の積算結果が反映された積算線量である。あるいは、線量率が表示されてもよい。その内容を使用者が選択できるように構成してもよい。符号３６は表示器２６を観察する際の使用者の視線を示している。符号３８は上方から飛来するγ線を示している。勿論、地面から飛来するγ線も測定される。なお、放射線センサとして半導体センサを用いており、その有感面が真上を向くことになるので、上下方向における感度がもっとも高い（主感度方向は図２の例において真上である）。
【００３１】
以上のように、個人線量測定時には、個人線量計が図１に示した垂直の状態とされ、空間線量測定時には、図２に示した水平の状態とされる。空間線量測定時には、特別な操作が求められており、それを行っている期間に限って空間線量が表示される。
【００３２】
図３には、図１及び図２に示した個人線量計の電気的な構成が示されている。センサ４０は放射線センサであり、具体的には半導体センサで構成されている。それはγ線４４を検出するものである。単一の半導体センサが設けられているが、複数の半導体センサを配置するようにしてもよい。センサ４０の周囲にはフィルタ部材４２が設けられている。少なくともセンサ４０の前面側及び後面側にフィルタ層４２ａ、４２ｂを設けるのが望ましい。空間線量の測定時に上方から飛来するγ線のみならず下方から飛来するγ線も的確に測定するためである。フィルタ部材４２はエネルギー特性を補償するための部材であり、それは例えば低エネルギー成分を抑圧する作用を発揮する。フィルタ部材４２は例えば所定の厚みをもった銅により構成される。フィルタ部材４２はセンサ４０の全体を包み込んでいる。
【００３３】
センサ４０からの検出信号はアンプ４６で増幅された上で波高弁別回路４８に送られる。波高弁別回路４８において閾値以下の信号が除去され、閾値を超える信号がパルスとしてマイコン５０へ出力される。マイコン５０は電子回路であり、各種の機能を有している。図３においては各機能がブロックによって表現されている。
【００３４】
カウンタ５２はパルスを計数するものである。一定時間単位でパルスが計数される。例えばカウンタ５２から０．５秒間隔で計数値（計数率に相当）が順次出力される。個人線量演算器５４は、個人線量として線量率及び積算線量を演算するものである。計数値に対して個人線量演算用の係数を乗算することにより、線量率が演算される。各時刻の線量率の積算により積算値が求められる。空間線量演算器５６は、空間線量として線量率及び積算線量を演算するものである。計数値に対して空間線量演算用の係数を乗算することにより、線量率が演算される。各時刻の線量率の積算により積算値が求められる。先に個人線量を求め、個人線量から空間線量を求めてもよいし、先に空間線量を求め、空間線量から個人線量を求めてもよい。個人線量演算器５４と空間線量演算器５６は、選択された表示モードにかかわらず、並列的に動作する。つまり、空間線量の表示中においても、個人線量の演算は中断することなく継続される。個人線量の表示中においても同様である。
【００３５】
表示処理部５８は、主制御部６８の指示に従って、線量を表示する。表示処理部５８は、主制御部６８が通常表示モードを選択した場合、表示器６４に個人線量が表示されるようにし、主制御部６８が特別表示モードを選択した場合、表示器６４に空間線量が表示されるようにする。時定数処理器６０は、個人線量及び空間線量のそれぞれに対して、指定された時定数に従う平滑化処理を適用する。そのような処理を経た個人線量又は空間線量が表示器６４に表示される。
【００３６】
メモリ６２には、時系列順で並ぶ複数の個人線量（線量率、積算線量）からなる数値列、及び、同じく時系列順で並ぶ複数の空間線量（線量率、積算線量）からなる数値列が格納される。複数の線量率から積算線量を演算することができるので、積算線量については記憶せずに事後的に演算することも可能である。カウンタ５２から出力された時系列順の複数の計数値を記憶するようにしてもよい。記憶に必要な容量を削減するため、本実施形態では、一定の時間を単位として複数の個人線量データ及び複数の空間線量データをそれぞれ集約するようにしている。例えば１０秒単位でデータをまとめた上で記憶している。いずれにしても、特別表示モードの実行中においても個人線量の演算が継続され、その演算結果がメモリ６２に格納され、必要な時点で、その格納された情報が読み出されて利用される。一次的な記憶のためのメモリを別途設けるようにしてもよい。通常表示モードの実行中においても同様であり、バックグラウンドで空間線量が演算され、それが保存されている。
【００３７】
表示器６４には、通常表示モードが選択されている場合に個人線量（積算線量及び線量率の一方又は両方）が表示され、特別表示モードが選択されている場合に空間線量（線量率及び積算線量率の一方又は両方）が表示される。
【００３８】
判定器６６は、個人線量が個人線量用アラーム条件を満たした場合にアラームを報知するアラーム処理を実行する。また、空間線量が空間線量用アラーム条件を満たした場合にアラームを報知するアラーム処理も実行する。例えば、特別表示モードの実行中において、個人線量が大きくなりアラーム条件を満たした場合、表示モードにかかわらずアラームが生成される。これにより表示モードによらずに個人被ばく管理を的確に行える。同じく、通常表示モードの実行中において空間線量がアラーム条件を満たした場合にもアラームが生成される。２種類のアラームを互いに識別できるようにそれらの表現態様を異ならせるのが望ましい。アラーム方法としては、表示点滅、ブザー音の生成等があげられる。
【００３９】
主制御部６８は、マイコン５０内の各構成の動作を制御するものである。主制御部６８には２つのボタンを構成する２つのスイッチ（ＳＷ）７０，７２が接続されている。主制御部６８は、表示モード選択機能を有しており、２つのＳＷ７０、７２がともに長押しされた場合に、その状態が維持されている期間内に限り、特別表示モードを実行させる。これにより表示器６４に空間線量が表示される。それ以外においては、通常表示モードが選択され、表示器６４に個人線量が表示される。
【００４０】
図４には、個人線量グラフ７８及び空間線量グラフ８０，８２が示されている。それらは図示の例において時定数処理前のグラフである。各グラフ７８，８０，８２はメモリ上のデータ列に相当する。
【００４１】
個人線量グラフ７８は、具体的には、線量率（個人線量率）の時間変化を示しており、時間軸上に並んだ複数の線量率データからなる。現時点が符号７９で示されている。空間線量グラフ８０は、具体的には、上記個人線量グラフ７８と同様に、線量率（空間線量率）の時間変化を示しており、時間軸上に並んだ複数の線量率データからなる。空間線量グラフ８２は、具体的には、積算線量（積算空間線量）の時間変化を示しており、時間軸上に並んだ複数の積算線量データからなる。図４においては、個人線量としての積算線量のグラフについては図示省略されている。
【００４２】
符号８６は、使用者による特別操作つまり空間線量表示操作が行われている期間を示している。その期間において特別表示モード（空間線量表示モード）が設定され、それ以外において通常表示モード（個人線量表示モード）が設定されている（符号８４参照）。図示の例では、通常表示モードにおいて、個々の時刻で演算された個人線量率が表示される。但し、各個人線量率の数値表示に先だって時定数処理が施される。表示対象となるものが符号７８ａ，７８ｂで特定されている（グレー表現部分）。特別表示モードにおいは、個々の時刻で演算された空間線量率が表示され（符号８０ａで示すグレー表現部分）、あるいは、個々の時刻で演算された積算空間線量が表示される（符号８２ａで示すグレー表現部分）。
【００４３】
なお、個々のデータは一定の時間区間（符号８８参照）に相当し、それは例えば０．５秒である。これに対して、区間９０はメモリへのデータ集約単位を示しており、それは例えば１０秒である。本願明細書に記載された各数値はいずれも例示である。
【００４４】
図５には第１表示例が示されている。通常表示モードの場合には符号９２で示す表示内容となり、特別表示モードの場合には符号９４で示す表示内容となる。それぞれの表示内容において、先頭には個人線量を識別するラベル（Ｈｐ）及び空間線量を識別するラベル（Ｈ＊）が表示されている。また、空間線量の表示に際しては、背景濃度又は背景色が変更されている。いずれにしても、個人線量と空間線量とを読み誤らないような表示態様を採用するのが望ましい。
【００４５】
図６には第２表示例が示されている。通常表示モードの場合には符号９６で示す表示内容となり、特別表示モードの場合には符号９８で示す表示内容となる。後者においては、空間積算線量（上段）と共に、個人線量率（下段）も表示されている。つまり、２つの線量が併記されている。もっとも、空間線量と個人線量を読み誤らないように、背景色やフォントサイズを異ならせ、また、先頭にラベル又はマークを付するのが望ましい。
【００４６】
次に図７乃至図９を用いて表示モード変更についての幾つかの動作例を説明する。
【００４７】
図７に示す動作例では第１ＳＷ（ボタン）の長押し（符号１００）と、第２ＳＷ（ボタン）の長押し（符号１０２）、のＡＮＤ条件が成立した場合（符号１０３）、通常表示モードから特別表示モードへ、表示モードが切り換えられる（符号１０４）。その後、ＡＮＤ条件が満たされなくなった時点で、通常表示モードに直ちに復帰させる制御が実行されている（符号１０６）。
【００４８】
図８に示す動作例では、個人線量計に内蔵された加速度センサ又は姿勢センサ等の出力信号に基づいて水平姿勢状態が判定され（符号１０８）、かつ、特定ＳＷ（ボタン）の長押し（符号１１０）が判定された場合、つまり、それらのＡＮＤ条件が成立した場合（符号１１２）、通常表示モードから特別表示モードへ、表示モードが切り換えられる（符号１１４）。その後、ＡＮＤ条件が満たされなくなった時点で、通常表示モードに直ちに復帰させる制御が実行される（符号１１６）。
【００４９】
図９に示す動作例では、個人線量計に内蔵された静電容量センサ又は距離センサ等の出力信号に基づいて生体からの離脱状態が判定され（符号１１８）、かつ、特定ＳＷ（ボタン）の長押し（符号１２０）が判定された場合、つまり、それらのＡＮＤ条件が成立した場合（符号１２２）、通常表示モードから特別表示モードへ、表示モードが切り換えられる（符号１２４）。その後、ＡＮＤ条件が満たされなくなった時点で、通常表示モードに直ちに復帰させる制御が実行される（符号１２６）。
【００５０】
図１０には、個人線量計１０からのデータ読み取り時の状態が示されている。読み取り装置１２８に個人線量計１０がセットされた状態において、赤外線通信等が実施される。符号１３０は赤外線読み取り器を示している。ＰＣ１３２において読み取られたデータが格納又は処理される。そのような非使用状態（個人線量測定が不要な状態）において空間線量の測定を行うようにしてもよい。その場合、ＰＣ１３２に対して、測定された空間線量を転送するようにしてもよい。
【００５１】
図１１には第２実施形態に係る個人線量計が示されている。この個人線量計１３４は、図１に示した個人線量計と同様、個人線量及び空間線量を測定する機能を備えている。
【００５２】
図１１において、使用者のポケット１３６内に個人線量計１３４が起立状態又は正立状態で収容されている。その状態は個人線量測定状態と言い得る。クリップ１３８と本体との間にポケット１３６の布地が挟まれている。ポケット１３６の収容状態において、個人線量計１３４の頭部が露出しており、その前面には個人線量用検出中心マーク１４０が設けられている。その近傍には符号１４２で示すように個人線量を示す「Ｈｐ」の文字が付されている。符号１４８はケース内に内蔵されたセンサを示しており、符号１４４はケース内に内蔵されつつセンサを搭載した基板を示している。符号１４６はケース内に収容されたコイン型バッテリを示している。ケースの背面には表示器が設けられているが、図１１にはそれが現れていない。
【００５３】
図１２には第２実施形態に係る空間線量測定状態が示されている。個人線量計１３４は水平姿勢つまり横倒し姿勢にある。符号１４９で示すように、ポケットから個人線量計１３４を引き上げて、その前面をうつ伏せにするように横倒しすることにより、図１２に示す水平姿勢が形成される。個人線量計１３４は符号１５２で示されるように地面から１ｍの高さに保持される。図１２において直上を向いているのはケースの背面である。その背面における一方端寄り（バッテリ内蔵した下端寄り）には表示器１５０が設けられている。背面の他方端（センサを内蔵した上端部）には空間線量用検出中心マーク１５４が付されている。その近傍には符号１５６で示すように空間線量を意味する「Ｈ＊」の文字が付されている。符号１５８は直上から飛来するγ線を示している。
【００５４】
第２実施形態においては、空間線量の測定中に表示内容を観察するためにケース背面が上向きになる姿勢がとられている。このため個人線量の測定と空間線量の測定とでセンサを向ける方向が１８０度異なることになるが、上記のようにセンサの前面及び後面の両方にフィルタ層を形成しておけば、向きの相違による影響はあまりない。他の形態を有する個人線量計に本発明を適用することも可能である。
【００５５】
本実施形態の個人線量計によれば、空間線量計がない状況下においても空間線量を簡易測定することが可能である。しかも、個人線量の演算が途絶えることはないので、個人被ばく管理を的確に行える。また、空間線量の表示中であっても個人線量が警報レベルに達した場合にはアラームが生成されるので安全である。事故等が発生した場合には、多数の個人線量計を利用して多数の地点で空間線量を測定し、それらに基づいて空間線量マップを作成することも可能である。そのようなことを実現するには個人線量計にＧＰＳシステムを搭載しておけばよい。
【符号の説明】
【００５６】
１０  個人線量計、４０  センサ、５４  個人線量演算器、５６  空間線量演算器、５８  表示処理部、６０  時定数処理器、６６  判定器、６８  主制御部、７０  スイッチ（ボタン）、７２  スイッチ（ボタン）。
【図１】
2017181043.tif 000003
【図２】
2017181043.tif 000004
【図３】
2017181043.tif 000005
【図４】
2017181043.tif 000006
【図５】
2017181043.tif 000007
【図６】
2017181043.tif 000008
【図７】
2017181043.tif 000009
【図８】
2017181043.tif 000010
【図９】
2017181043.tif 000011
【図１０】
2017181043.tif 000012
【図１１】
2017181043.tif 000013
【図１２】
2017181043.tif 000014